(57)【要約】【課題】輸送中に軒樋吊具同士が衝突することにより発生する、固定部に取り付けられた劣化防止部材の損傷や外れを防止することが可能な軒樋吊具を提供する。【解決手段】鼻隠し板７に固定される固定部２と、軒樋を支持する支持部３と、鼻隠し板を構成する材料中に含まれる劣化性物質の移行により固定部又は支持部が劣化するのを防止する劣化防止部材４を備えた軒樋吊具１であって、劣化防止部材は、鼻隠し板と固定部の後面部２１に挟まれるベース部４１と、固定部の前後方向に貫通して設けられた取付孔２３に、固定部の後面部側から先端が前面部２２に突出するように挿入される筒状部４２を備えるとともに、固定部の前面部には、劣化防止部材の筒状部が突出する先端の高さ以上の高さの突起部５が形成されている。【選択図】図１
2017227043.tif 000002
【特許請求の範囲】
【請求項１】
鼻隠し板に固定される固定部と、軒樋を支持する支持部と、前記鼻隠し板を構成する材料中に含まれる劣化性物質の移行により前記固定部又は前記支持部が劣化するのを防止する劣化防止部材を備えた軒樋吊具であって、
前記劣化防止部材は、前記鼻隠し板と前記固定部の後面部に挟まれるベース部と、前記固定部の前後方向に貫通して設けられた取付孔に、前記固定部の後面部側から先端が前面部に突出するように挿入される筒状部を備えるとともに、
前記固定部の前面部には、前記劣化防止部材の前記筒状部が突出する先端の高さ以上の高さの突起部が形成されていることを特徴とする軒樋吊具。
【請求項２】
前記突起部が筋状であり、前記取付孔を挟んで対向するように形成されていることを特徴とする請求項１に記載の軒樋吊具。
【発明の詳細な説明】
【技術分野】
【０００１】
本発明は、軒樋吊具に関する。
【背景技術】
【０００２】
建物の軒先に軒樋を取り付ける場合、通常、図３に示すような軒樋吊具１が用いられている。軒樋吊具１は、これまでに様々な構成を有するものが提供されているが、一般に、軒樋の耳部を保持して軒樋を支持する支持部３と固定部２を備えている。
【０００３】
軒樋吊具１は、固定部２の後面部２１を軒先に設けられた鼻隠し板７等の屋外面に当接させ、固定部２に形成された前後方向に貫通する取付孔２３を通して、ねじや釘等の固着具６を鼻隠し板７等に打入又は螺入することで軒先に固定される。このように固定された軒樋吊具１に軒樋が取り付けられ、軒樋が建物の軒先に配設される。
【０００４】
軒樋吊具１を構成する材質としては、アルミニウムやステンレス等の金属の他、塩化ビニル樹脂、ポリカーボネート樹脂、ポリエステル樹脂、ＡＢＳ樹脂等の樹脂が広く使用されている。これらの中でも、優れた成形性、機械的強度、耐候性等の観点から、例えば、ポリカーボネート樹脂が好適に用いられている。
【０００５】
ただ、樹脂製の軒樋吊具１の場合、鼻隠し板７等の屋外面がセメント製である場合にはそのアルカリ成分が、また、塩化ビニル被覆鋼板製である場合には可塑剤等が、劣化性物質として経時的に軒樋吊具１に移行する場合がある。そして、移行したアルカリ成分や可塑剤等の劣化性物質が樹脂製の固定部２や支持部３を劣化させ、クラック等を生じさせることがある。
【０００６】
軒樋吊具１の材質として好適に用いられるポリカーボネート樹脂は、特にアルカリ成分や可塑剤等の劣化性物質の影響を受ける可能性があるため、劣化性物質の移行の防止対策が重要となる。
【０００７】
そこで、これまでに、鼻隠し板７等の屋外面を構成する材料中の劣化性物質の移行を防止するために、固定部２の取付孔２３に劣化防止部材を設けた軒樋吊具１（特許文献１）や、複数の劣化防止部材を連結部によって連結した軒樋吊具１（特許文献２）が提案されている。
【０００８】
これらの軒樋吊具１では、鼻隠し板７等の材料中に含まれる劣化性物質の移行による固定部２や支持部３の劣化を簡便に防止することができ、軒樋の取付状態が安定に保たれるとしている。
【先行技術文献】
【特許文献】
【０００９】
【特許文献１】特開２００８−１５６８９５号公報
【特許文献２】特開２０１０−３１５１７号公報
【発明の概要】
【発明が解決しようとする課題】
【００１０】
ところで、このような劣化防止の対策を施した軒樋吊具１を輸送する際には、図４（Ａ）に示すように、隣り合う軒樋吊具１の固定部２と支持部３を前後逆にして、図４（Ｂ）に示すように交互に並べた状態で梱包して輸送する場合がある。具体的には、例えば、交互に組み合わせた軒樋吊具１を１０個１組として５組並べて箱に入れ、計５０個を１箱に梱包して輸送する。
【００１１】
このような梱包による輸送においては、輸送時の振動や衝撃等により、箱内の軒樋吊具１の固定部２に対して、隣の軒樋吊具１の支持部３の先端部３１が衝突する場合がある。
【００１２】
このような場合、固定部２の取付孔２３に取り付けられた劣化防止部材４に隣の軒樋吊具１の支持部３の先端部３１が衝突し、劣化防止部材４が損傷したり、外れて紛失することが懸念される。
【００１３】
本発明は、上記従来の問題点に鑑みてなされたものであり、輸送中に軒樋吊具同士が衝突することにより発生する、固定部に取り付けられた劣化防止部材の損傷や外れを防止することが可能な軒樋吊具を提供することを課題とする。
【課題を解決するための手段】
【００１４】
本発明は、上記の課題を解決するために、以下のことを特徴としている。
【００１５】
すなわち、本発明の軒樋吊具は、鼻隠し板に固定される固定部と、軒樋を支持する支持部と、前記鼻隠し板を構成する材料中に含まれる劣化性物質の移行により前記固定部又は前記支持部が劣化するのを防止する劣化防止部材を備えた軒樋吊具であって、前記劣化防止部材は、前記鼻隠し板と前記固定部の後面部に挟まれるベース部と、前記固定部の前後方向に貫通して設けられた取付孔に、前記固定部の後面部側から先端が前面部に突出するように挿入される筒状部を備えるとともに、前記固定部の前面部には、前記劣化防止部材の前記筒状部が突出する先端の高さ以上の高さの突起部が形成されていることを特徴とする。
【発明の効果】
【００１６】
本発明によれば、輸送中に軒樋支持部同士が衝突することにより発生する、固定部に取り付けられた劣化防止部材の損傷や外れを防止することが可能となる。
【図面の簡単な説明】
【００１７】
【図１】本発明の軒樋吊具の一実施形態の斜視図である。
【図２】図１の軒樋吊具の要部拡大図である。
【図３】従来の軒樋吊具の取り付け状態を示す概略断面図である。
【図４】軒樋吊具を輸送する場合の梱包状態を示す概略斜視図であり、（Ａ）は、２個の軒樋吊具を交互に組み合わせる説明図であり、（Ｂ）は２個交互に組み合わせた軒樋吊具を５組計１０個組み合わせた状態を示す説明図である。
【発明を実施するための形態】
【００１８】
本発明の軒樋吊具について図面に基づいて以下に詳述する。
【００１９】
図１は、本発明の軒樋吊具の一実施形態の斜視図であり、図２は、図１の軒樋吊具の要部拡大図である。
【００２０】
本発明の軒樋吊具１は、鼻隠し板７に固定される固定部２と、軒樋を支持する支持部３と、鼻隠し板７を構成する材料中に含まれる劣化性物質の移行により固定部２又は支持部３が劣化するのを防止する劣化防止部材４を備えた軒樋吊具１である。
【００２１】
劣化防止部材４は、鼻隠し板７と固定部２の後面部２１に挟まれるベース部４１と、固定部２の前後方向に貫通して設けられた取付孔２３に、固定部２の後面部２１側から先端が前面部２２に突出するように挿入される筒状部４２を備えている。
【００２２】
また、固定部２の前面部２２には、劣化防止部材４の筒状部４２が突出する先端の高さ以上の高さの突起部５が形成されている。
【００２３】
図１に示す本実施形態の軒樋吊具１は、図４に示す従来の軒樋吊具１の基本的な構成、すなわち、軒樋の耳部を保持し、軒樋を支持する支持部３と、支持部３に対して起立する固定部２とを具備した構成を有している。
【００２４】
軒樋吊具１を構成する固定部２又は支持部３の材質は、軽量で高強度の材質であれば特に限定されるものではなく、例えば、アルミニウムやステンレス等の金属、塩化ビニル樹脂、ポリカーボネート樹脂、ポリエステル樹脂、ＡＢＳ樹脂等の樹脂を用いることができる。これらの中でも、優れた成形性、機械的強度、耐候性等の観点からポリカーボネート樹脂を好適に用いることができる。
【００２５】
また、固定部２には、固定部２の前後方向に貫通する取付孔２３が設けられており、取付孔２３を通して、釘やねじ等の固着具６により軒樋吊具１を軒先の鼻隠し板７に固定するようになっている。なお、本発明において鼻隠し板７とは、本実施形態の軒樋吊具１が取り付け可能な屋外面の部位を意味し、鼻隠し板７の他、他の名称の部位や部材、そしてそれらの周辺部も含む。
【００２６】
また、本実施形態の軒樋吊具１では、鼻隠し板７を構成する材料中に含まれる劣化性物質の移行により、固定部２や支持部３の劣化を防止するための劣化防止部材４が設けられている。
【００２７】
鼻隠し板７を構成する材料中に含まれる劣化性物質としては、鼻隠し板７がセメント製である場合にはアルカリ成分、また、塩ビ鋼板製である場合には可塑剤等がある。そして、これら劣化性物質が経時的に軒樋吊具１に移行して、固定部２や支持部３を劣化させ、クラック等を生じさせることがある。
【００２８】
劣化性物質の固定部２や支持部３への移行は、通常、鼻隠し板７と固定部２の後面部２１との接触面や、固着具６の釘又はねじ等を通して起こりやすい。特に、固定部２又は支持部３の材質としてポリカーボネート樹脂を用いた場合には、劣化性物質の移行に伴う劣化が発生しやすい。
【００２９】
そのため、本実施形態の軒樋吊具１では、鼻隠し板７と固定部２の後面部２１との間に劣化防止部材４のベース部４１を挟み込むとともに、固定部２の取付孔２３に筒状部４２の先端が突出するように挿入して、固定部２や支持部３の劣化を防止している。
【００３０】
劣化防止部材４は、一定の厚みを有するベース部４１と、ベース部４１の表面から垂直に突出する筒状部４２から構成されている。また、筒状部４２の貫通孔４３はベース部４１も貫通している。図１、図２に示す実施形態の軒樋吊具１では、１つのベース部４１に対して上下に２個の筒状部４２が設けられている。
【００３１】
筒状部４２の径は、固定部２の前後方向に貫通する取付孔２３に挿入可能な寸法の径となっており、また、筒状部４２の貫通孔４３は、ねじや釘の外径よりも若干小さい内径の寸法となっている。また、筒状部４２の高さは、取付孔２３に固定部２の後面部２１側から挿入した状態で、先端が固定部２の前面部２２に若干突出する高さとなっている。
【００３２】
鼻隠し板７に軒樋吊具１を取り付ける際は、固定部２の取付孔２３に筒状部４２を挿入した状態で、前面部２２に突出した筒状部４２の貫通孔４３に固着具６の釘を打入したり、ねじを螺入させることによって容易かつ強固に固定することができる。
【００３３】
また、ねじを螺入して固定することを前提として、貫通孔４３の内面に雌ねじのねじ山を形成しておくこともできる。これにより、軒樋吊具１の取り付け施工性をより良好にすることができる。
【００３４】
また、劣化防止部材４は固定部２の形状や取付孔２３の数等に応じて複数設けることができ、さらに、複数の劣化防止部材４を連結部によって連結することもできる。
【００３５】
劣化防止部材４には、劣化性物質を含まないことを前提として種々の材料を採用することができ、例えば、ポリエチレン、ポリプロピレン、ポリ塩化ビニル等の硬質系樹脂や、シリコンゴム、ウレタンゴム等の軟質系樹脂が例示される。さらに、ポリブチレンテレフタレートの採用も可能であり、この場合、ガラス繊維等を混入させることにより、固着具６の釘の打入やねじの螺入に伴う圧縮強度に十分耐え得るようにすることができる。
【００３６】
また、軟質系樹脂を使用することにより、取付孔２３における固着具６の保持面積が拡大され、固着具６を安定して保持することができるとともに、軒樋吊具１にかかる応力をより均等に分散させ、固着具６の応力による軒樋吊具１の劣化も防止することができる。
【００３７】
このように、本実施形態の軒樋吊具１は、鼻隠し板７の屋外面に当接する固定部２の後面部２１において、鼻隠し板７と固定部２の後面部２１の間に劣化防止部材４を挟むとともに、前後に貫通する取付孔２３に劣化防止部材４を挿入した状態で取り付けられる。これにより、鼻隠し板７を構成する材料中に含まれる劣化性物質の移行により、固定部２や支持部３が劣化するのを防止することができ、軒樋の取付状態を安定に保つことができる。
【００３８】
一方、上記の実施形態の軒樋吊具１を輸送する際には、図４（Ａ）に示すように、固定部２と支持部３を１つずつ前後逆にして交互に並べた状態で梱包して輸送する場合がある。具体的には、例えば、図４（Ｂ）に示すように軒樋吊具１を１０個１組として、これらを５組並べて箱に入れ、計５０個を梱包して輸送する。
【００３９】
このような梱包による輸送においては、輸送時の振動や衝撃等により、箱内の隣り合う軒樋吊具１の固定部２と支持部３の先端部３１が接触や衝突をし、筒状部４２の前方に突出して挿入された劣化防止部材４が損傷したり、外れて紛失する可能性がある。
【００４０】
そこで、本実施形態の軒樋吊具１においては、図１、図２に示すように、固定部２の前面部２２に、劣化防止部材４の筒状部４２が突出する先端の高さ以上の高さの突起部５が形成されている。
【００４１】
固定部２の前面部２２に、突出する筒状部４２の先端の高さ以上の高さの突起部５を設けることにより、輸送の際、隣り合う軒樋吊具１の支持部３の先端部３１が固定部２に衝突をした場合、まず突起部５に衝突するため、突出する筒状部４２への直接の衝突を防止することができる。
【００４２】
また、本実施形態の軒樋吊具１においては、突起部５が筋状であり、取付孔２３を挟んで対向するように形成されていることが好ましい。
【００４３】
図１、図２に示す実施形態の軒樋吊具１では、上下２つ設けられた取付孔２３から突出した筒状部４２の先端の上下を挟む位置に筋状の突起部５が設けられている。筋状の突起部５の幅は、隣り合う軒樋吊具１の支持部３の先端部３１が衝突した場合に破損しない程度の強度を保持できる幅であればよく、特に限定されるものではない。
【００４４】
突起部５を突出する筒状部４２の高さと同等、又はそれより高くし、さらに、突起部５を筋状として突出した筒状部４２の先端を挟むことにより、輸送の際に隣り合う軒樋吊具１の支持部３の先端部３１から筒状部４２の先端を保護することができる。そして、これにより劣化防止部材４が損傷したり、外れて紛失するのを確実に防止することができる。
【００４５】
以上、本発明の軒樋吊具１を一実施形態に基づいて説明したが、本発明は上記の実施形態に限定されるものではなく、その要旨を逸脱しない範囲内において種々の変形、変更が可能である。
【００４６】
例えば、図１、図２に示す実施形態の軒樋吊具１では、突起部５を突出した筒状部４２の上下を挟むように設けているが、突出した筒状部４２の周囲を囲むように矩形形状や円形形状に設けてもよい。これにより、劣化防止部材４の筒状部４２に対する支持部３の先端部３１の衝突をより確実に防止することができる。また、筒状部４２の貫通孔４３は、ねじや釘の外径よりも若干大きい内径の寸法とすることもできる。
【符号の説明】
【００４７】
１  軒樋吊具
２  固定部
２１  後面部
２２  前面部
２３  取付孔
３  支持部
４  劣化防止部材
４１  ベース部
４２  筒状部
５  突起部
７  鼻隠し板
【図１】
2017227043.tif 000003
【図２】
2017227043.tif 000004
【図３】
2017227043.tif 000005
【図４】
2017227043.tif 000006